(57)【要約】【課題】軽量、堅牢、安価で安全に使用し易い簡易椅子付松葉杖の構造【解決手段】各杖それぞれ上端の脇鞍と、中央部のグリップの各両端を２本の支持棒で支持し、この２本の支持棒の下部を脚部に接続した１対の松葉杖において、各杖は、前記２本の支持棒に、グリップと平行な支軸を設け、一方の杖の該支軸に椅子用長座の一端部を回転可能に枢着し、椅子用長座の他端部に他方の杖の支軸に上方から嵌合係止可能にしたフックを設ける共に、前記椅子用長座を前記２本の支持棒間に収容可能にしたことを特徴とする簡易椅子付松葉杖。【選択図】　　図１
2004033447.tif 000002
【特許請求の範囲】
【請求項１】
各杖それぞれ上端の脇鞍と、中央部のグリップの各両端を２本の支持棒で支持し、この２本の支持棒の下部を脚部に接続した１対の松葉杖において、各杖は、前記２本の支持棒に、グリップと平行な支軸を設け、一方の杖の該支軸に椅子用長座の一端部を回転可能に枢着し、椅子用長座の他端部に他方の杖の支軸に上方から嵌合係止可能にしたフックを設けると共に、前記椅子用長座を前記２本の支持棒間に収容可能にしたことを特徴とする簡易椅子付松葉杖。
【請求項２】
各杖それぞれ上端の脇鞍と、中央部のグリップの各両端を２本の支持棒で支持し、この２本の支持棒の下部を脚部に接続した１対の松葉杖において、各杖は、前記２本の支持棒に、グリップと平行な支軸を設け、該支軸の長手方向半部に椅子用長座の一端部を回転可能に枢着し、椅子用長座の他端部に相対杖の支軸の残半部に上方から嵌合係止可能にしたフックを設けると共に、前記椅子用長座を前記２本の支持棒間に収容可能に成形したことを特徴とする簡易椅子付松葉杖。
【発明の詳細な説明】
【０００１】
【発明の属する技術分野】
本発明は、松葉杖を使用途中に簡易椅子に腰を掛け休憩を取ることを容易に可能とした簡易椅子付松葉杖に関するものである。
【０００２】
【従来の技術】従来公知の簡易椅子付松葉杖例を２つ紹介する。
【０００３】
１．特開平５−６３５３７号公報に記載の椅子付き松葉杖
この松葉杖は、同公報図２に示す如く、脚部６に折り畳み可能な２本の補助脚１２．１３を設け、補助脚を引き出すことで、補助脚が松葉杖の脚部に対し交差して開脚する。これによって三脚が組みあがり、補助脚１３．１４と松葉杖６本体との間に取り付けたシート２０を引き出して座面を形成し椅子が出来上がる。
【０００４】
２．特開２００２−１１３０５８号公報に記載の椅子付き松葉杖
この松葉杖は、一対の松葉杖各々において、握り部の下部に半片状座台の基部を枢着し、この半片状座台の他端にリンク用の突起と突起用挿入孔を設け、両者の半片状座台を杖内から回動挿出して水平状態にし先端を対向させ該突起と孔を相互に連結させることで、松葉杖と連結両座台が正面視でＨ形の形状となった腰掛け椅子を形成するのである。
【０００５】
【発明が解決しようとする課題】
前記１に紹介の例は、各図から自明のとうり複雑で費用のかかる構造である。また椅子の組み立て作業は、補助脚の位置が松葉杖の脚部と低い位置に設けられているため、松葉杖利用者が片足立ちの状態で補助脚を引き出すという甚だ煩雑で時間のかかる困難ものであり、且つ組み立て作業中にバランスを失い転倒する恐れがあるなど安全性の問題を有する。
【０００６】
前記２に紹介の例は、半片状の両座台に取り付けられた突起と孔による連結部は、座った際の安定性を考慮して孔に突起を挿入した際の隙間がほとんどない状態の構造となっている。そのため座台の突起と孔を連結させるには、バランスの不安定な片足立ちの状態で身体の前に松葉杖をもってきて目視で確認しながら行わなければならなく、しかも組み立て後に松葉杖を壁や柱に立てかけ、身体を反転させてから柱を背もたれにし身体を反転させてから座らなければならない煩雑で困難なものである。
【０００７】
このように複雑な構造で且つ扱いにくい従来の松葉杖では、座るまでの動作に時間がかかりしかも不安全要素が多くその改善が強く要望されていた。
【０００８】
【課題を解決するための手段】
本発明は、このような課題を解決した優れた簡易椅子付松葉杖を提供するものでありその特徴とするところは、次の（１）〜（２）の二つにある。
【０００９】
（１）．各杖はそれぞれ上端の脇鞍と、中央部のグリップの各両端を２本の支持棒で支持し、この２本の支持棒の下部を脚部（該支持棒の下部と脚部は一体的連結構造にしたものでもよい）に接続した１対の松葉杖において、各杖は、前記２本の支持棒に、グリップと平行な支軸を設け、一方の杖の該支軸に椅子用長座の一端部を回転可能に枢着し、椅子用長座の他端部に他方の杖の支軸に上方から嵌合係止可能にしたフックを設けると共に、前記椅子用長座を前記２本の支持棒間に収容可能にしたことを特徴とする簡易椅子付松葉杖。
【００１０】
（２）．各杖はそれぞれ上端の脇鞍と、中央部のグリップの各両端を２本の支持棒で支持し、この２本の支持棒の下部を脚部に接続した１対の松葉杖において、各杖は、前記２本の支持棒に、グリップと平行な支軸を設け、該支軸の長手方向半部に椅子用長座の一端部を回転可能に枢着し、椅子用長座の他端部に相対杖の支軸の長手方向残半部に上方から嵌合係止可能にしたフックを設けると共に、前記椅子用長座を前記２本の支持棒間に収容可能に成形したことを特徴とする簡易椅子付松葉杖。
【００１１】
【発明の実施の形態】
本発明において前記主要部の実施の形態について詳述する。
【００１２】
椅子用長座は、基部を支軸に枢着して回動可能にし、支持棒間から本体を回動挿出し先端を他方の松葉杖の支軸に嵌合係止して、使用を可能にするものである。このため安全に腰掛け利用できる堅牢でしかも座り心地を損なわないように座面形状をフラット、湾曲などその他任意の形状としクッション材等を貼設するのもよい。しかも木製、強化プラスッチク、軽量金属製等で板状、円弧状、チャンネル状、に成形した構造体でもよい。
【００１３】
椅子用長座の基部（一端部）の回動基軸とする支軸および椅子用長座の先端（他端部）のフックと嵌合係止する支軸は、腰掛時の荷重に対応できるように、金属製のボルト、パイプ、ベァリング軸受ユニットなどを、松葉杖のグリップに平行にして支持棒間に設置するものである。
フックと嵌合係止する支軸は、次記のフックの種類に応じた形状、構造又は他の補助具を付設する。
【００１４】
フックは鉤状、下向き溝状、遊嵌合穴、面上ファスナーの一方、磁石などを選択採用することができる。
【００１５】
椅子用長座の支軸にはの軸方向移動を防止するロック具を設置するとよい。これは、ピン状、ブロック状、リング状のロック部品を支軸に付設するか、支軸自体に異径ロック部を形成するなどその他適宜な手段とする。
【００１６】
椅子用長座は、松葉杖として使用するとき、支持棒間に収納しておくが、その収納形態は、使用時に揺動しないように、前記フックを利用して、フックの種類に形状、構造又は他の補助具に応じた止具を付設するか、別の止め金具などを付設すればよい。
【００１７】
【実施例】
図１〜図２には本発明の（１）の特徴の１実施例を示す。
【００１８】
簡易椅子付松葉杖は、左用松葉杖Ｌを図１の左に、右用の松葉杖Ｒを図１の右に各々示す。
各松葉杖Ｒ、Ｌはそれぞれ上端の脇鞍１、２と、中央部のグリップ３、４の各両端を２本の支持棒５、６、７、８で支持し、この２本の支持棒の下部を脚部７、８に接続してある。
【００１９】
また各松葉杖は、前記２本の支持棒に、グリップ３、４と平行な支軸９、１０を設け、左用の松葉杖Ｒの該支軸９には、椅子用長座１１の一端部を回転可能に枢着し、椅子用長座１１の他端部に右用の松葉杖Ｌの支軸１０に上方から嵌合係止可能にした溝型のフック１２を設けると共に、前記椅子用長座１１を松葉杖Ｒの前記２本の支持棒５，６間に収容可能にしてある。
【００２０】
椅子用長座１１は、先端面に磁性金属板１３を貼設すると供に支持棒５、６の下部間にマグネットロール１４を設けて、椅子用長座１１を支持棒３間に収容した際にマグネットロール１４に磁性金属板１３を吸着させて椅子用長座１１を位置固定するようになっている。
【００２１】
これにより椅子用長座１１は、松葉杖として使用するとき、支持棒５，６間に収納して、使用時に揺動しない。
またマグネットロール１４を使用しているから椅子用長座１１を椅子として使用の際は、松葉杖Ｒの支持棒５，６間から本体を簡単に回動挿出し先端のフック１２を他方の松葉杖Ｌの支軸１０に嵌合係止して、椅子としての使用を簡単迅速に可能にする。又安全に腰掛け利用できる堅牢でしかも座り心地を損なわないように座面形状をフラットとし板状に成形した木製とした。
【００２２】
椅子用長座１１の基部（一端部）の回動基軸とする松葉杖Ｒの支軸９および椅子用長座１１の先端（他端部）のフック１２と嵌合係止する松葉杖Ｌの支軸１０は、腰掛時の荷重に対応できるように、金属製のボルトにし、当該松葉杖のグリップに平行にして支持棒間に設置する。
フック１２と嵌合係止する松葉杖Ｌの支軸１０は、下向き溝型としたフック１２の巾に応じた径の金属製のボルトとする。
【００２３】
椅子用長座１１の回動用の支軸９の軸方向移動を防止するロック具は、ブロック状、のロック部品１５を付設して椅子使用時の安定性を確保する。
図２には、松葉杖Ｌの椅子用長座１１先端のフック１２を相対杖Ｒの支軸１０に上方から嵌合係止させるのみで簡単に組上った椅子を示す一部断面の説明図である。
【００２４】
図３〜図４には本発明の（２）の特徴の１実施例を示す。
本例における簡易椅子付松葉杖の各々は、本体の基本構造を、前例と同一構造としてあるので同一符号にｂを付しその説明は省略する。
簡易椅子付松葉杖は、左用松葉杖Ｌｂを図３の左に、右用の松葉杖Ｒｂを図３の右に各々示す。
【００２５】
この松葉杖Ｒｂ、Ｌｂ各々において、２本の支持棒５ｂ、６ｂ、７ｂ、８ｂに、グリップ３ｂ、４ｂと平行な支軸９ｂ、１０ｂを設け、該支軸９ｂの長手方向半部領域に半幅の椅子用長座２１の一端部を回転可能に枢着し、椅子用長座２１の他端部に相対杖の支軸１０ｂの長手方向半部領域に上方から嵌合係止可能にしたフック２２を設けると共に、前記椅子用長座２１を前記２本の支持棒５ｂ、６ｂ間に収容可能に成形してある。
【００２６】
また支軸１０ｂの長手方向半部領域に半幅の椅子用長座２３の一端部を回転可能に枢着し、椅子用長座２３の他端部に相対杖の支軸９ｂの長手方向半部領域に上方から嵌合係止可能にしたフック２４を設けると共に、前記椅子用長座２３を前記２本の支持棒７ｂ、８ｂ間に収容可能に成形してある。
【００２７】
椅子用長座２１，２３は、先端面に磁性金属板２５、２６を貼設すると供に支持棒５ｂ、６ｂと７ｂ、８ｂとの各下部間にマグネットロール２７，２８を設けて、椅子用長座２１，２３を該当支持棒間に収容した際にマグネットロール２７，２８に磁性金属板２５、２６を吸着させて椅子用長座２１，２３を位置固定するようになっている。
【００２８】
図４には、椅子用長座２１、２３の各先端のフック２２、２４を相対杖の支軸９ｂ、１０ｂの長手方向半部領域に上方から嵌合係止させるのみで簡単に組あがった椅子の一部断面の平面図（上から見た図）である。いずれか一方を，使用者の利き腕で嵌合係止させるのみでも椅子としての機能を持たせてある．
【００２９】
【発明の効果】
本発明では、椅子用長座に設けたフックを他方の松葉杖の詩軸部と嵌合係止することにより座る事を可能とし、座面結合の構造も簡単である事から、組み立てを迅速かつ簡便に行う事ができる。また、組み立ての構造が簡単である事から、組み立て時に目視を行う必要がなく、後ろ向きでの作業を行う事ができ、組み立て作業中に身体のバランスを失う事も少ない極めて安全な松葉杖である。
【００３０】
【図面の簡単な説明】
【図１】本発明の１実施例を示す説明図であり、左右一対の松葉杖Ｌ、Ｒを各々外側を手前に向けて立てた状態を示す
【図２】図１の左右一対の松葉杖を内側対向させて椅子を組み、後ろ側から見た状態を示す一部断面の説明図である。
【図３】本発明の他の実施例を示す説明図であり、左右一対の松葉杖Ｌｂ、Ｒｂを各々外側を手前に向けて立てた状態を示す。
【図４】図３の左右一対の松葉杖を内側対向させて椅子を組み、後ろ側から見た状態を示す一部断面の説明図である。
【符号の説明】
Ｌ、Ｌｂ：左用松葉杖
Ｒ、Ｒｂ：右用の松葉杖
１、２，１ｂ、２ｂ：脇鞍
３、４、３ｂ、４ｂ：グリップ
５、６、７、８、５ｂ、６ｂ、７ｂ、８ｂ：支持棒
２９、３０、２９ｂ、３０ｂ：脚部
９、１０、９ｂ、１０ｂ：支軸
１１：椅子用長座
１２、２２、２４：溝型のフック
１３，２５、２６：磁性金属板
１４、２７，２８：マグネットロール
１５，１５ｂ：ロック部品
２１：半幅椅子用長座
２３：半幅椅子用長座
【図１】
2004033447.tif 000003
【図２】
2004033447.tif 000004
【図３】
2004033447.tif 000005
【図４】
2004033447.tif 000006